(57)【特許請求の範囲】
【請求項１】
空気を透過させて空気中の塵埃を取り除く空気清浄フィルタにおいて、帯電繊維からなる平板状不織布と波板状不織布とを積層してハニカム状に形成されたハニカム集塵フィルタと、
このハニカム集塵フィルタに積層された、活性炭を担持した多孔性ウレタンフォームからなる脱臭フィルタと、少なくともプロアントシアニジンおよびクロロゲン酸を含むポリフェノールを担持した剛性のある樹脂製ネットからなることを特徴とする空気清浄フィルタ。
【請求項２】
ポリフェノールが、リンゴの未熟果から取られたポリフェノールであることを特徴とする請求項１記載の空気清浄フィルタ。
【請求項３】
吸気口より吸入した空気に所定の処理を施し排気口より排出する空気処理装置であって、吸気口と排気口を繋ぐ空気通路に請求項１あるいは請求項２記載の空気清浄フィルタが設置されたことを特徴とする空気処理装置。
【発明の詳細な説明】
【０００１】
【発明の属する技術分野】
本発明は、空気を透過させて空気中の塵埃を取り除く空気清浄フィルタおよびそれを用いた空気処理装置に関するものである。
【０００２】
【従来の技術】
例えば図６に示したように、空気清浄フィルタ１０を送風機２０が吸い込んで排気する空気２１の通路の一部、または全てに設置し、空気中の塵埃を除去すると共に、殺菌も行うようにした空気清浄化装置としての空気処理装置１００がある。
【０００３】
このような用途で使用される空気清浄フィルター１０の空気通過部分は、例えば図７に示したように、帯電繊維から作った不織布１１ａと、抗菌、抗ウイルス性（以下、合わせて抗菌性と云う）を有する図示しないグルコン酸クロルヘキシジンを添着した不織布１１ｂとを重ね合わせた二重不織布によって作った平板状不織布１１ｃと、同二重不織布によって作った波板状不織布１１ｄとを積層して表面積の大きいハニカム状に形成するなどして作成されている（厚さ：約５〜１０ｍｍ程度）。
【０００４】
したがって、送風機２０が吸い込み排気する空気は、空気清浄フィルタ１０の不織布１１ａ、１１ｂによって塵埃や油脂（蒸気）が濾し取られると共に、不織布の繊維の間を通過し得るほど微細な塵埃も、帯電繊維から作られた不織布１１ａがあるので、帯電し易い微細な塵埃はこの不織布１１ａにクーロン力によって引き付けられて除去される。そして、さらに不織布１１ｂに抗菌性を有するグルコン酸クロルヘキシジンが設けられているので、不織布１１ａ、１１ｂに濾し取られて付着している塵埃や油脂に細菌が付着しても増殖することがない。
【０００５】
しかし、上記構成の空気清浄フィルタは、抗菌性を人工のグルコン酸クロルヘキシジンによって図っており、消費者の自然嗜好を満足するものではなかった。
そこで、本発明者等は先に、図８および図９に示したように、不織布などを用いて表面積が大きくなるようにハニカム状に構成したそれぞれ自体は従来周知のハニカム集塵フィルタ１１の背後に、活性炭を多孔性ウレタンフォームに分散配置してシート状に形成した脱臭フィルタ１２を配し、さらにその背後にポリフェノール１４を含浸させた帯電繊維製の不織布１３を配置して形成した空気清浄フィルタ１０を提案した（特願平１１−１５２８８３号明細書）。
【０００６】
【発明が解決しようとする課題】
しかし図８および図９に示した構成の空気清浄フィルタ１０は、ハニカム集塵フィルタ１１、脱臭フィルタ１２および不織布１３がいずれも剛性が不足するため、空気清浄フィルタ１０が全体的に柔らかく、例えば一端を持つと大きく曲がり易く、フィルタ交換などの作業において取り扱い難いという問題があった。
本発明の第１の目的は、空気中の塵埃を取り除くだけでなく、消臭作用と、抗菌・抗ウイルス性を持たせるとともに、フィルタ自身に剛性を持たせて曲がり難くしてフィルタ交換などの作業において取り扱い易くした空気清浄フィルタを提供することであり、本発明の第２の目的は、この空気清浄フィルタを用いた空気処理装置を提供することである。
【０００７】
【課題を解決するための手段】
上記従来技術の課題を解決するための具体的手段として、本発明の請求項１記載の空気清浄フィルタは、
空気を透過させて空気中の塵埃を取り除く空気清浄フィルタにおいて、帯電繊維からなる平板状不織布と波板状不織布とを積層してハニカム状に形成されたハニカム集塵フィルタと、
このハニカム集塵フィルタに積層された、活性炭を担持した多孔性ウレタンフォームからなる脱臭フィルタと、少なくともプロアントシアニジンおよびクロロゲン酸を含むポリフェノールを担持した剛性のある樹脂製ネットからなることを特徴とする。
【０００８】
本発明の請求項２記載の空気清浄フィルタは、請求項１記載の空気清浄フィルタにおいて、ポリフェノールが、リンゴの未熟果から取られたポリフェノールであることを特徴とする。
【０００９】
本発明の請求項３は、吸気口より吸入した空気に所定の処理を施し排気口より排出する空気処理装置であって、吸気口と排気口を繋ぐ空気通路に請求項１あるいは請求項２記載の空気清浄フィルタが設置されたことを特徴とする空気処理装置である。
【００１０】
【発明の実施の形態】
〔第１の実施形態〕
本発明の第１の実施形態を図１と図２に基づいて詳細に説明する。
図１と図２に示した第１の実施形態の空気清浄フィルタ１０は、帯電繊維（例えば、ポリエチレン、ポリプロピレンなどのポリオレフィン系樹脂製帯電繊維）からなる平板状不織布１１ｅと同帯電繊維からなる波板状不織布１１ｆとを積層してハニカム状に形成されたハニカム集塵フィルタ１１の背後に、
活性炭を担持した多孔性ウレタンフォームからなる脱臭フィルタ１２が積層されており、さらに脱臭フィルタ１２の背後に
ポリフェノール１４を付着・接着・塗布・含浸するなどして担持した剛性のある樹脂製ネット１５を、例えば、公知のホットメルトタイプ接着剤１６（例えば、ポリ酢酸ビニル、ポリビニルブチラール、アクリル樹脂、ポリイソプレンポリアミド、エチレン−酢酸ビニル共重合体、エチレン−アクリル酸エステル共重合体などの熱可塑性樹脂、テルペン樹脂、ロジン誘導体、ゴムなどの天然樹脂などで構成されるホットメルトタイプ接着剤）を用いて結合して形成したものである。なおハニカム集塵フィルタ１１および脱臭フィルタ１２はそれぞれ通常５〜１０ｍｍ程度の厚さに形成され、剛性のある樹脂製ネット６は、通常０．５〜５ｍｍ程度の厚さに形成される。
【００１１】
樹脂製ネット１５に担持させるポリフェノール１４には、メチルメルカブタン（口臭の原因）やトリメチルアミン（魚臭成分）などに対する消臭作用がある。
そして、このポリフェノール１４として、例えば、強い抗酸化作用があって心臓疾患や胃潰瘍、さらには癌の発生を抑制することも明らかになってきたプロアントシアニジンを約５０％、活性酸素の抑制と発癌性物質（ニトロソアミン）の生成阻止作用があるクロロゲン酸を約３０％、糖尿病の症状軽減作用があるフロリジンを約１０％、過酸化脂質の発生抑制作用と血中のコレステロールや中性脂肪の除去作用があるエピカテキンを約１０％、および動脈硬化、老化防止、発ガン防止作用を備えると共に、抗生物質に匹敵する強い殺菌作用を持つカテキンを約５％含むような、リンゴの未熟果から抽出作成した抗菌性の強い天然のポリフェノール（例えば、ニッカウヰスキー（株）製のアップルフェノン）が使用される。
【００１２】
〔第２の実施形態〕
ポリフェノール１４を担持した樹脂製ネット１５は、前記図１および図２に示したようにハニカム集塵フィルタ１１の背後に結合する他、図３に示したようにハニカム集塵フィルタ１１の前方に配置してもよい。
【００１３】
〔第３の実施形態〕
また、図４に示したように集塵フィルタ１１と脱臭フィルタ１２の全体を包み込んで、集塵フィルタ１１の前方と脱臭フィルタ１２の後方の両方に配置するようにしても良い。
【００１４】
〔第４の実施形態〕
また、図５に示したように樹脂製ネット１５をハニカム集塵フィルタ１１と脱臭フィルタ１２でサンドイッチ積層してもよい。
図３〜５において図１〜２に示した空気清浄フィルタと同じ構成部分には同一参照符号を付すことにより、重複した説明を省略する。
【００１５】
そして、前記第２の実施形態の空気清浄フィルタ１０においては、樹脂製ネット１５をハニカム集塵フィルタ１１の前面に接着や融着して一体化してある。
また、前記第３の実施形態の空気清浄フィルタ１０においては、樹脂製ネット１５の重なり合った部分を接着、融着または縫い付けるなどして、集塵フィルタ１１および脱臭フィルタ１２と一体化してある。
また、前記第４の実施形態の空気清浄フィルタ１０においては、樹脂製ネット１５をハニカム集塵フィルタ１１と脱臭フィルタ１２で挟んで接着や融着して積層して一体化してある。
【００１６】
図６に示す空気処理装置１００などの空気の通路に、前記第１の実施形態の空気清浄フィルタ１０が設置されると、送風機２０によって吸い込み排気される空気２１は、先ずハニカム集塵フィルタ１１を通過し、空気２１に含まれている塵埃と油脂（蒸気）の内の比較的大きな物がここで取り除かれるとともに、ハニカム集塵フィルタ１１は帯電繊維から作られているので、帯電し易い微細な塵埃はクーロン力によってハニカム集塵フィルタ１１に引き付けられ、確実に取り除かれる。
【００１７】
塵埃、油脂などが取り除かれた空気２１は、続いて、脱臭フィルタ１２を通過し、空気２１に含まれている未だ取り除かれなかった微細な塵埃や油脂などが脱臭フィルタ１２のウレタンフォームの隙間を通過する際に引っかかって取り除かれ、さらに、空気２１に含まれている臭い成分が、脱臭フィルタ１２に分散担持されている活性炭によって吸着除去される。
【００１８】
脱臭フィルタ１２を通過して塵埃と油脂、臭い成分などが取り除かれた空気２１は、続いて樹脂製ネット１５を通過する。
そして、ハニカム集塵フィルタ１１や脱臭フィルタ１２で取り除かれた塵埃や油脂に細菌が付着しても、樹脂製ネット１５に担持されているポリフェノール１４の抗菌作用によって細菌の繁殖が抑えられ、室内に吹き出す空気２１の細菌汚染が防止される。
【００１９】
また、ポリフェノール１４が消臭作用を備えているので、脱臭フィルタ１２によって脱臭されてきた空気の一層の無臭化が図られる。
【００２０】
このように、第１の実施形態の空気清浄フィルタ１０は、空気中の塵埃と油脂を取り除くだけでなく、消臭作用と、抗菌・抗ウイルス性を持つとともに、剛性のある樹脂製ネット１５を積層したので、空気清浄フィルタ１０自身に剛性が付与され、端を持っても曲がり難くなり、フィルタ交換などの作業において非常に取り扱い易い。
【００２１】
前記第２の実施形態の空気清浄フィルタ１０では、空気２１が最初に通過する部分に、ポリフェノール１４を担持した樹脂製ネット１５が配置されているので、この部分で空気の消臭が図られると共に、ハニカム集塵フィルタ１１や脱臭フィルタ１２で取り除かれた塵埃や油脂に細菌が付着しても、樹脂製ネット１５に担持されているポリフェノール１４の抗菌作用によって細菌の繁殖が抑えられ、室内に吹き出す空気２１の細菌汚染が防止される。また、剛性のある樹脂製ネット１５を積層したので、空気清浄フィルタ１０自身に剛性が付与され、端を持っても曲がり難くなり、フィルタ交換などの作業において非常に取り扱い易い。
【００２２】
また、前記第３の実施形態の空気清浄フィルタ１０では、第１〜２の実施形態の空気清浄フィルタ１０と同様な効果を奏する上、空気清浄フィルタ１０の前後２個所で細菌の増殖が抑えられると共に、空気の消臭が図られると云った利点がある。
【００２３】
また、前記第４の実施形態の空気清浄フィルタ１０では、第１〜３の実施形態の空気清浄フィルタ１０と同様な効果を奏する上、樹脂製ネット１５がハニカム集塵フィルタ１１と脱臭フィルタ１２でサンドイッチ積層して一体化してあるので、ハニカム集塵フィルタ１１と脱臭フィルタ１２の細菌の増殖が効果的に抑えられ、空気の消臭が図られると云った利点がある。
【００２４】
なお、本発明は上記実施形態に限定されるものではないので、特許請求の範囲に記載の趣旨から逸脱しない範囲で各種の変形実施が可能である。
【００２５】
また、本発明の空気処理装置としては、前記構成の空気清浄フィルタが吸気口と排気口とを繋ぐ空気通路に設置されたエアコンや温風ヒータなどであっても良い。
【００２６】
【発明の効果】
以上説明したように、本発明の空気清浄フィルタは、帯電繊維からなる平板状不織布と帯電繊維からなる波板状不織布とを積層したハニカム集塵フィルタに活性炭を担持した多孔性ウレタンフォームからなる脱臭フィルタと、少なくともプロアントシアニジンおよびクロロゲン酸を含むポリフェノールを担持した剛性のある樹脂製ネットを積層して形成してあるので、剛性が高く、端を持っても曲がり難くなり、フィルタ交換などの作業において非常に取り扱い易いという顕著な効果を奏する。
また、本発明の空気清浄フィルタは、空気に含まれる塵埃や油脂が確実に除去できると共に、除去した塵埃や油脂で細菌が増殖するのが防止できるので、空気の細菌汚染を防止することができる。また、空気の消臭が図られる。
【００２７】
特に、リンゴの未熟果を元にして作ったポリフェノールを使用する請求項２の発明によれば、使用者の自然嗜好を満足することができる。
【図面の簡単な説明】
【図１】第１の実施形態を示す説明図である。
【図２】第１の実施形態を断面で示す説明図である。
【図３】第２の実施形態を断面で示す説明図である。
【図４】第３の実施形態を断面で示す説明図である。
【図５】第４の実施形態を断面で示す説明図である。
【図６】空気処理装置の構成を示す説明図である。
【図７】従来技術のフィルタを断面で示す説明図である。
【図８】他の従来技術のフィルタの要部を示す説明図である。
【図９】図８に示した従来技術のフィルタを断面で示す説明図である。
【符号の説明】
１０  空気清浄フィルタ
１１ｅ  平板状不織布
１１ｆ  波板状不織布
１１  ハニカム集塵フィルタ
１２  脱臭フィルタ
１４  ポリフェノール
１５  剛性のある樹脂製ネット
１６  ホットメルトタイプ接着剤
２０  送風機
２１  空気
１００  空気処理装置
【図１】
0004428842.tif 000002
【図２】
0004428842.tif 000003
【図３】
0004428842.tif 000004
【図４】
0004428842.tif 000005
【図５】
0004428842.tif 000006
【図６】
0004428842.tif 000007
【図７】
0004428842.tif 000008
【図８】
0004428842.tif 000009
【図９】
0004428842.tif 000010